(57)【特許請求の範囲】
【請求項１】
複数の通信システムネットワークの内、いずれか１つと通信接続を行い、基地局との無線通信を行なう通信手段と、
所定時間の経過毎に、前記複数の通信システムネットワークに対して予め設定された優先度に応じて順次捕捉を行うように前記通信手段を制御する捕捉制御手段と、を備え、
前記通信手段は、前記捕捉に成功した通信システムネットワークと通信接続を行なう無線通信装置であって、
各通信システムネットワークに対する通信失敗を検出する通信失敗検出手段と、
前記複数の通信システムネットワークの各通信システムネットワークに対して所定時間を設定する所定時間設定手段と、
を備え、
前記捕捉制御手段は、前記所定時間設定手段にて設定される各通信システムネットワークに対する前記所定時間の経過に応じて、該所定時間が経過した通信システムネットワークに対する捕捉を行うように前記通信手段を制御し、
前記所定時間設定手段は、前記通信失敗検出手段にて検出される各通信システムネットワークに対する前記通信失敗に応じて各通信システムネットワークの通信失敗度合を求め、当該通信失敗度合に対応する通信システムネットワークの前記所定時間を当該通信失敗度合に基づき設定することを特徴とする無線通信装置。
【請求項２】
前記通信失敗検出手段は、各通信システムネットワークに対する捕捉失敗を前記通信失敗として検出する、
ことを特徴とする請求項１記載の無線通信装置。
【請求項３】
前記所定時間設定手段は、前記各通信システムネットワークに対する捕捉失敗の回数をカウントし、当該カウント値が所定の閾値を超えた場合には、前記カウント値に対応する通信システムネットワークに対する前記所定時間を増大させる、
ことを特徴とする請求項２記載の無線通信装置。  
【請求項４】
前記所定時間設定手段は、前記通信手段による通信接続が完了し、待受状態に遷移した場合に、当該待受状態に遷移した通信システムネットワークに対する前記通信失敗の度合を初期化する、
ことを特徴とする請求項１乃至３のいずれか一項に記載の無線通信装置。
【請求項５】
前記通信失敗検出手段は、前記通信手段による通信接続が完了し、待受状態に遷移した後、前記待受状態に遷移した通信システムネットワークに対する通信失敗を検出する、
ことを特徴とする請求項１または２に記載の無線通信装置。
【請求項６】
前記所定時間設定手段は、前記通信失敗検出手段が、待受状態に遷移してから所定待受時間内に前記通信失敗としてチャネルロストを検出した場合、前記待受状態に遷移した通信システムネットワークに対する通信失敗の度合を増大させる、
ことを特徴とする請求項５記載の無線通信装置。
【請求項７】
前記所定時間設定手段は、前記待受状態に遷移してからの連続待受時間が前記所定待受時間を超えた場合には、当該待受状態に遷移した通信システムネットワークに対する前記通信失敗の度合を初期化する、
ことを特徴とする請求項５または６記載の無線通信装置。
【請求項８】
前記通信失敗検出手段は、各通信システムネットワークに対する捕捉失敗を第１の通信失敗として検出すると共に、各通信システムネットワークに対して待受状態に遷移した後に所定待受時間内に発生する通信失敗を第２の通信失敗として検出し、
前記所定時間設定手段は、前記第１の通信失敗の度合と前記第２の通信失敗の度合いとの合計値が所定値以上になった場合に、前記合計値に対応する通信システムネットワークに対する前記所定時間を増大させる、
ことを特徴とする請求項１乃至７のいずれか一項に記載の無線通信装置。
【請求項９】
前記捕捉制御手段は、複数の通信システムネットワークの内の所定の通信システムネットワークに対して前記通信手段による通信接続が完了して待受状態に遷移した後、前記所定の通信システムネットワークに対して通信失敗としてチャネルロストが発生すると、所定回数連続して捕捉動作を行うように前記通信手段を制御し、
前記所定時間設定手段は、前記所定の通信システムネットワークに対して求められる前記通信失敗の度合に基づいて前記所定回数を減少させる、
ことを特徴とする請求項１乃至８のいずれか一項に記載の無線通信装置。
【請求項１０】
前記所定時間設定手段は、電池の残量が所定の残量以下の場合と前記電池が非充電状態の場合との少なくともいずれかの場合に、前記通信失敗の度合に基づいて前記所定時間を設定する、
ことを特徴とする請求項１乃至９のいずれか一項に記載の無線通信装置。
【請求項１１】
複数の通信システムネットワークの内、いずれか１つと通信接続を行って基地局との無線通信を行ない、所定時間の経過毎に、前記複数の通信システムネットワークに対して予め設定された優先度に応じて順次捕捉を行う一方、前記捕捉に成功した通信システムネットワークと通信接続を行なう無線通信方法であって、
各通信システムネットワークに対する通信失敗を検出する第１のステップと、
前記第１のステップにより検出される前記各通信システムネットワーク毎の通信失敗の度合を求める第２のステップと、
前記複数の通信システムネットワークの各通信システムネットワークに対して所定時間を設定する第３のステップと、 
前記第３のステップにて設定される各通信システムネットワークに対する前記所定時間の経過に応じて、該所定時間が経過した通信システムネットワークに対する捕捉を行う第４のステップと、
前記第１のステップにて検出される各通信システムネットワークに対する前記通信失敗に応じて各通信システムネットワークの通信失敗度合を求め、当該通信失敗度合に対応する通信システムネットワークの前記所定時間を当該通信失敗度合に基づき設定する第５のステップと、
を有することを特徴とする無線通信方法。
【発明の詳細な説明】
【技術分野】
【０００１】
本発明は、無線通信装置及び無線通信方法に関する。
【背景技術】
【０００２】
従来、無線通信装置（例えば携帯電話機等）と基地局との無線通信において、予め優先度が設定された複数の通信システムネットワークが存在する場合、無線通信装置は、上記優先度の高い通信システムネットワークから順に捕捉動作を行い、捕捉可能な通信システムネットワークとの通信接続を行って待受状態に移行する一方、優先度の低い通信システムネットワークに対して待受状態にある場合には、所定時間（以下リセレクションタイムという）が経過すると、再度優先度の高い通信システムネットワークから捕捉動作を開始する。ここで、捕捉動作とは、各通信システムネットワークで使用されるチャネルの捕捉を意味する。また、上記無線通信装置は、ある通信システムネットワークとの通信接続が完了し待受状態に移行した後、チャネルロストした場合、同一の通信システムネットワークに対して捕捉動作を繰り返し、所定回数捕捉動作に失敗した場合には、次に優先度の低い通信システムネットワークの捕捉動作に移行する。
【０００３】
さらに、上記のような無線通信装置は、一定時間内に全ての通信システムネットワークの捕捉に成功しなければスリープ状態に移行し、所定時間（スリープ復帰時間）経過後、スリープ状態から復帰して再度捕捉動作を開始する。例えば、特開２００１−２５１２３４号公報には、このようなスリープ復帰時間を電池の残量に応じて変更することで、捕捉動作による消費電力を低減する技術が開示されている。
【特許文献１】特開２００１−２５１２３４号公報
【発明の開示】
【発明が解決しようとする課題】
【０００４】
ところで、上記のような通信システムネットワークの捕捉動作を行う場合、次のような問題が生じる。例えば、ＣＤＭＡ2000 １ｘ（Code division Multiple Access 2000 1x）方式の場合、優先度の最も高い２ＧＨｚ帯を用いる第１の通信システムネットワークと、次に優先度の高い新８００ＭＨｚ帯を用いる第２の通信システムネットワーク、優先度の最も低い旧８００ＭＨｚ帯を用いる第３の通信システムネットワークが存在する。なお、新８００ＭＨｚ帯を用いる第２の通信システムネットワークとは世界標準仕様の８００ＭＨｚ帯システムであり、旧８００ＭＨｚ帯を用いる第３の通信システムネットワークとは日本仕様の８００ＭＨｚ帯システムである。この第３の通信システムネットワークは、日本全国に普及しているものであるが、第１及び第２の通信システムネットワークは、現状では都心部等の一部でのみ利用可能である。
【０００５】
このように、優先度の高い第１または第２の通信システムネットワークが利用できない地域で無線通信を行なう場合、無線通信装置は、これら通信システムネットワークの捕捉に必ず失敗するにも拘わらず、リセレクションタイムが経過する度に、優先度の最も高い第１の通信システムネットワークから順に捕捉動作を開始する。その結果、無駄な捕捉動作を行うことになり、消費電力が増大して電池寿命が短くなるという問題がある。
【０００６】
また、優先度の高い通信システムネットワークは存在するが、電波強度の弱い極めて不安定な場所で無線通信を行なう場合、無線通信装置は、捕捉に失敗するか、または待受状態に移行してもチャネルロストする可能性が高いにも拘わらず、リセレクションタイムが経過する度に、優先度の最も高い第１の通信システムネットワークから順に捕捉動作を開始する。その結果、無駄な捕捉動作（チャネルロストした場合は、同一の通信システムネットワークに対して所定回数捕捉動作を繰り返さなければならない）を行うことになり、上記と同様に消費電力が増大して電池寿命が短くなるという問題がある。
また、いずれの場合であっても、捕捉動作を行っている最中は一時的に待受状態から抜け出すため、着信通知を受信できない可能性があり、通信性が低下するという問題がある。
【０００７】
そこで、上記特開２００１−２５１２３４号公報の技術を利用して、電池の残量に応じてリセレクションタイムを変更することで、捕捉動作による消費電力を低減する方法が考えられるが、優先度の高い通信システムネットワークが存在しない地域や電波強度の不安定な場所で無線通信を行なう場合には、結局無駄な捕捉動作が行われることになり、消費電力の増大を効果的に抑制することはできない。
【０００８】
本発明は、上述した事情に鑑みてなされたものであり、複数の通信システムネットワークに対し優先度に応じて順次捕捉動作を行う無線通信装置において、消費電力の増大を抑制し、且つ通信性の向上を図ることを目的とする。
【課題を解決するための手段】
【０００９】
上記目的を達成するために、本発明では、無線通信装置に係る第１の解決手段として、複数の通信システムネットワークの内、いずれか１つと通信接続を行い、基地局との無線通信を行なう通信手段と、所定時間の経過毎に、前記複数の通信システムネットワークに対して予め設定された優先度に応じて順次捕捉を行うように前記通信手段を制御する捕捉制御手段と、を備え、前記通信手段は、前記捕捉に成功した通信システムネットワークと通信接続を行なう無線通信装置であって、各通信システムネットワークに対する通信失敗を検出する通信失敗検出手段と、前記複数の通信システムネットワークの各通信システムネットワークに対して所定時間を設定する所定時間設定手段と、を備え、前記捕捉制御手段は、前記所定時間設定手段にて設定される各通信システムネットワークに対する前記所定時間の経過に応じて、該所定時間が経過した通信システムネットワークに対する捕捉を行うように前記通信手段を制御し、前記所定時間設定手段は、前記通信失敗検出手段にて検出される各通信システムネットワークに対する前記通信失敗に応じて各通信システムネットワークの通信失敗度合を求め、当該通信失敗度合に対応する通信システムネットワークの前記所定時間を当該通信失敗度合に基づき設定する、という手段を採用する。
【００１０】
また、本発明では、無線通信装置に係る第２の解決手段として、上記第１の解決手段において、前記通信失敗検出手段は、各通信システムネットワークに対する捕捉失敗を前記通信失敗として検出する、ことを特徴とする。
【００１１】
また、本発明では、無線通信装置に係る第３の解決手段として、上記第２の解決手段において、前記所定時間設定手段は、前記各通信システムネットワークに対する捕捉失敗の回数をカウントし、当該カウント値が所定の閾値を超えた場合には、前記カウント値に対応する通信システムネットワークに対する前記所定時間を増大させる、ことを特徴とする。
【００１２】
また、本発明では、無線通信装置に係る第４の解決手段として、上記第１〜３のいずれ
かの解決手段において、前記所定時間設定手段は、前記通信手段による通信接続が完了し、待受状態に遷移した場合に、当該待受状態に遷移した通信システムネットワークに対する前記通信失敗の度合を初期化する、ことを特徴とする。
【００１３】
また、本発明では、無線通信装置に係る第５の解決手段として、上記第１または２の解決手段において、前記通信失敗検出手段は、前記通信手段による通信接続が完了し、待受状態に遷移した後、前記待受状態に遷移した通信システムネットワークに対する通信失敗を検出する、ことを特徴とする。
【００１４】
また、本発明では、無線通信装置に係る第６の解決手段として、上記第５の解決手段において、前記所定時間設定手段は、前記通信失敗検出手段が、待受状態に遷移してから所定待受時間内に前記通信失敗としてチャネルロストを検出した場合、前記待受状態に遷移した通信システムネットワークに対する通信失敗の度合を増大させる、ことを特徴とする。
【００１５】
また、本発明では、無線通信装置に係る第７の解決手段として、上記第５または６の解決手段において、前記所定時間設定手段は、前記待受状態に遷移してからの連続待受時間が前記所定待受時間を超えた場合には、当該待受状態に遷移した通信システムネットワークに対する前記通信失敗の度合を初期化する、ことを特徴とする。
【００１６】
また、本発明では、無線通信装置に係る第８の解決手段として、上記第１〜７のいずれかの解決手段において、前記通信失敗検出手段は、各通信システムネットワークに対する捕捉失敗を第１の通信失敗として検出すると共に、各通信システムネットワークに対して待受状態に遷移した後に所定待受時間内に発生する通信失敗を第２の通信失敗として検出し、前記所定時間設定手段は、前記第１の通信失敗の度合と前記第２の通信失敗の度合いとの合計値が所定値以上になった場合に、前記合計値に対応する通信システムネットワークに対する前記所定時間を増大させる、ことを特徴とする。
【００１７】
また、本発明では、無線通信装置に係る第９の解決手段として、上記第１〜８のいずれかの解決手段において、前記捕捉制御手段は、複数の通信システムネットワークの内の所定の通信システムネットワークに対して前記通信手段による通信接続が完了して待受状態に遷移した後、前記所定の通信システムネットワークに対して通信失敗としてチャネルロストが発生すると、所定回数連続して捕捉動作を行うように前記通信手段を制御し、前記所定時間設定手段は、前記所定の通信システムネットワークに対して求められる前記通信失敗の度合に基づいて前記所定回数を減少させる、ことを特徴とする。
【００１８】
また、本発明では、無線通信装置に係る第１０の解決手段として、上記第１〜９のいずれかの解決手段において、前記所定時間設定手段は、電池の残量が所定の残量以下の場合と前記電池が非充電状態の場合との少なくともいずれかの場合に、前記通信失敗の度合に基づいて前記所定時間を設定する、ことを特徴とする。
【００１９】
一方、本発明では、無線通信方法に係る第１の解決手段として、複数の通信システムネットワークの内、いずれか１つと通信接続を行って基地局との無線通信を行ない、所定時間の経過毎に、前記複数の通信システムネットワークに対して予め設定された優先度に応じて順次捕捉を行う一方、前記捕捉に成功した通信システムネットワークと通信接続を行なう無線通信方法であって、各通信システムネットワークに対する通信失敗を検出する第１のステップと、前記第１のステップにより検出される前記各通信システムネットワーク毎の通信失敗の度合を求める第２のステップと、前記複数の通信システムネットワークの各通信システムネットワークに対して所定時間を設定する第３のステップと、 前記第３のステップにて設定される各通信システムネットワークに対する前記所定時間の経過に応じて、該所定時間が経過した通信システムネットワークに対する捕捉を行う第４のステップと、前記第１のステップにて検出される各通信システムネットワークに対する前記通信失敗に応じて各通信システムネットワークの通信失敗度合を求め、当該通信失敗度合に対応する通信システムネットワークの前記所定時間を当該通信失敗度合に基づき設定する第５のステップと、を有する、という手段を採用する。
【発明の効果】
【００２０】
本発明によれば、複数の通信システムネットワークに対し優先度に応じて順次捕捉動作を行う無線通信装置において、消費電力の増大を抑制し、且つ通信性の向上を図ることが可能である。
【発明を実施するための最良の形態】
【００２１】
以下、図面を参照して、本発明の一実施形態について説明する。
図１は、本発明の実施形態に係る無線通信装置の構成ブロック図である。なお、本無線通信装置としては、ＣＤＭＡ2000 １ｘ方式対応の携帯電話機を例示して説明する。つまり、本無線通信装置は、優先度の最も高い２ＧＨｚ帯を用いる第１の通信システムネットワークと、次に優先度の高い新８００ＭＨｚ帯を用いる第２の通信システムネットワーク、優先度の最も低い旧８００ＭＨｚ帯を用いる第３の通信システムネットワークと通信可能である。
【００２２】
図１に示すように、本無線通信装置は、無線通信部１（通信手段）、キー入力部２、表示部３、音声入出力部４、カメラ部５、制御部６、第１のリセレクションタイマ７、第２のリセレクションタイマ８、第３のリセレクションタイマ９、安定待受タイマ１０及び記憶部１１から構成されている。なお、制御部６は、通信状態検出部６ａ（通信失敗検出手段）、タイマ制御部６ｂ（所定時間設定手段）、及び捕捉制御部６ｃ（捕捉制御手段）を有している。
【００２３】
無線通信部１は、制御部６による制御の下、上記第１の通信システムネットワーク、第２の通信システムネットワーク及び第３の通信システムネットワークの内、いずれか１つと通信接続を行い、図示しない基地局との無線通信を行う。なお、この無線通信部１は、捕捉制御部６ｃによる制御の下、各通信システムネットワークのリセレクションタイム（所定時間）の経過に応じて、各通信システムネットワークの捕捉動作を行い、捕捉に成功した通信システムネットワークと通信接続を行なう。ここで、捕捉動作とは、各通信システムネットワークの周波数チャネル及びシンクチャネルを捕捉することであり、通信接続とは、ページングチャネルを捕捉して基地局との各種パラメータのネゴシエーションを行なうことである。
【００２４】
キー入力部２は、ダイヤルキー、ファンクションキー、電源キー等から構成されており、これらキーの操作情報を操作信号として制御部６に出力する。表示部３は、例えば液晶ディスプレイや有機ＥＬディスプレイ等であり、制御部６から入力される表示信号に基づいて各種メッセージや画像等を表示する。音声入出力部４は、マイク及びスピーカから構成されており、外部から入力された音声を音声信号に変換して制御部６に出力する一方、制御部６から入力される音声信号に基づいて音声やサウンドを外部に出力する。カメラ部５は、例えばＣＣＤ（Charge Coupled Device）カメラであり、制御部６の制御の下、撮影した画像の画像信号を制御部６に出力する。
【００２５】
制御部６は、記憶部１１に予め記憶された所定の制御プログラム、キー入力部２から入力される操作信号及び無線通信部１の通信状態等に基づいて、本無線通信装置の全体動作を制御するものである。また、この制御部６において、通信状態検出部６ａは、無線通信部１の通信状態に基づいて、各通信システムネットワークに対する捕捉の成功または失敗を検出する。また、この通信状態検出部６ａは、いずれかの通信システムネットワークとの通信接続が完了し、待受状態遷移後におけるページングチャネルのロスト（チャネルロスト）を検出する。
【００２６】
タイマ制御部６ｂは、上記通信状態検出部６ａによる捕捉の成功または失敗、チャネルロストの検出結果に基づいて、各通信システムネットワーク毎にリセレクションタイムを設定する。詳細には、第１の通信システムネットワークに対応する第１のリセレクションタイムＲＴ１、第２の通信システムネットワークに対応する第２のリセレクションタイムＲＴ２、第３の通信システムネットワークに対応する第３のリセレクションタイムＲＴ３を設定する。つまり、タイマ制御部６ｂは、上記のように設定した第１のリセレクションタイムＲＴ１にて第１のリセレクションタイマ７を起動するように制御し、第２のリセレクションタイムＲＴ２にて第２のリセレクションタイマ８を起動するように制御し、また、第３のリセレクションタイムＲＴ３にて第３のリセレクションタイマ９を起動するように制御する。また、タイマ制御部６ｂは、待受状態遷移後、安定待受タイマ１０を起動する。
【００２７】
さらに、このタイマ制御部６ｂは、各リセレクションタイマがカウントアップしたことを検出し、カウントアップ検出信号を捕捉制御部６ｃに出力する。捕捉制御部６ｃは、上記カウントアップ検出信号に基づいて、当該カウントアップしたリセレクションタイマに対応する通信システムネットワークに対する捕捉動作を開始するように無線通信部１を制御する。
【００２８】
第１のリセレクションタイマ７は、タイマ制御部６ｂの制御にて起動し、第１のリセレクションタイムＲＴ１のカウントを行なう。第２のリセレクションタイマ８は、タイマ制御部６ｂの制御にて起動し、第２のリセレクションタイムＲＴ２のカウントを行なう。第３のリセレクションタイマ９は、タイマ制御部６ｂの制御にて起動し、第３のリセレクションタイムＲＴ３のカウントを行なう。なお、本実施形態では、別々に独立したリセレクションタイマを備える構成にしたが、実回路上では、これらリセレクションタイマは同一のクロック信号の整数倍で動作させるような構成にすることが望ましい。このような構成にすることで、部品点数を減らすことができると共に、別々に独立したリセレクションタイマを備えることによって、以下に説明する捕捉動作が頻繁に発生してしまうことを防ぐことができる。
【００２９】
安定待受タイマ１０は、タイマ制御部６ｂの制御にて起動し、安定待受時間（所定待受時間）ＳＴのカウントを行なう。この安定待受時間ＳＴは、待受状態遷移後から安定して待受状態に遷移したと判断される時間に設定されている。
記憶部１１は、上記制御部６で使用される制御プログラムや各種データ、第１のリセレクションタイムＲＴ１、第２のリセレクションタイムＲＴ２及び第３のリセレクションタイムＲＴ３の初期設定値、安定待受時間ＳＴ等を記憶する。
【００３０】
次に、このように構成された本無線通信装置の動作について図２〜図４のフローチャートを用いて詳細に説明する。
【００３１】
ここで、電源投入時の初期状態において、無線通信部１は、捕捉制御部６ｃの制御の下、優先度の最も高い第１の通信システムネットワークから捕捉動作を行うものとする。図２（ａ）は、第１の通信システムネットワークに対する捕捉動作を示すフローチャートである。まず、タイマ制御部６ｂは、第１のリセレクションタイマ７が起動中か否かを判断する（ステップＳ１）。このステップＳ１において、「NO」、つまり第１のリセレクションタイマ７が起動していない場合（電源投入時はこの場合となる）、捕捉制御部６ｃは上記判断結果に基づいて、第１の通信システムネットワークに対する捕捉動作を開始するように、無線通信部１を制御する（ステップＳ２）。無線通信部１は、第１の通信システムネットワークの周波数チャネル及びシンクチャネルのスキャンを行う。
【００３２】
通信状態検出部６ａは、無線通信部１の通信状態に基づいて、周波数チャネル及びシンクチャネルの捕捉が成功したか否かを検出する。制御部６は、通信状態検出部６ａによる検出結果に基づいて、第１の通信システムネットワークの捕捉が成功したか否かを判断し（ステップＳ３）、「YES」、つまり第１の通信システムネットワークの捕捉に成功した場合、当該第１の通信システムネットワークとの通信接続を開始するように無線通信部１を制御する（ステップＳ４）。そして、制御部６は、タイマ制御部６ｂにより、安定待受タイマ１０を起動させ（ステップＳ５）、図２（ｂ）に示す待受処理ルーチンに移行する（ステップＳ６）。
【００３３】
一方、ステップＳ１において、「YES」、つまり第１のリセレクションタイマ７が起動中の場合、制御部６は、タイマ制御部６ｂにより、第１のリセレクションタイマ７がカウントアップしたか否か（第１のリセレクションタイムＲＴ１が経過したか否か）を判断し（ステップＳ７）、「YES」、つまりカウントアップしている場合は、ステップＳ２に移行し、また、「NO」、つまりカウントアップしていない場合は、図３（ａ）に示す第２の通信システムネットワークに対する捕捉動作に移行する（ステップＳ１３）。
【００３４】
さらに、ステップＳ３において、「NO」、つまり第１の通信システムネットワークの捕捉に失敗した場合、タイマ制御部６ｂは、第１の通信システムネットワークに対する捕捉失敗回数をカウントするために使用する第１のカウント変数Ｃ１をインクリメントする（ステップＳ８）。なお、初期状態において、第１のカウント変数Ｃ１＝０である。
そして、捕捉失敗回数に応じてカウントされる第１のカウント変数Ｃ１が通信失敗の度合いとして求められることとなる。
【００３５】
そして、制御部６は、第１のカウント変数Ｃ１と第１の閾値Ｃｔ１とを比較し、第１のカウント変数Ｃ１が第１の閾値Ｃｔ１より小さいか否かを判断し（ステップＳ９）、「YES」、つまり第１のカウント変数Ｃ１が第１の閾値Ｃｔ１より小さい場合、図３（ａ）に示す第２の通信システムネットワークに対する捕捉動作に移行する（ステップＳ１３）。一方、ステップＳ９において、「NO」、つまり第１のカウント変数Ｃ１が第１の閾値Ｃｔ１以上の値になった場合、タイマ制御部６ｂは、第１のリセレクションタイムＲＴ１をインクリメントする（ステップＳ１０）。
すなわち、捕捉失敗回数（第１のカウント変数Ｃ１）が第１の閾値Ｃｔ１で規定される回数に達した場合、第１のリセレクションタイムＲＴ１を増大させる。なお、第１の閾値Ｃｔ１は初期状態において、１０回程度に設定されている。
【００３６】
続いて、上記のように捕捉失敗回数が第１の閾値Ｃｔ１で規定される回数に達した場合、タイマ制御部６ｂは、第１の閾値Ｃｔ１をデクリメントする（ステップＳ１１）と共に、後述するチャネルロスト時における第１のスキャン回数閾値Ｃｒｔ１をデクリメントし（ステップＳ１２）、第２の通信システムネットワークに対する捕捉動作に移行する（ステップＳ１３）。
【００３７】
次に、待受処理ルーチンについて図２（ｂ）のフローチャートを用いて説明する。なお、待受処理ルーチンとは、通信接続が完了して待受状態遷移後の処理である。
まず、通信状態検出部６ａは、無線通信部１の通信状態に基づいて、ページングチャネルをロスト（チャネルロスト）したか否かを検出する。制御部６は、通信状態検出部６ａによる検出結果に基づいて、チャネルロストが発生したか否かを判断し（ステップＳ２０）、「NO」、つまりチャネルロストが発生していない場合、安定待受タイマ１０がカウントアップしたか否かを判断する（ステップＳ２１）。
【００３８】
ステップＳ２１において、「NO」、つまり安定待受タイマ１０がカウントアップしていない場合（待受状態に遷移してからの連続待受時間が安定待受時間ＳＴに達していない場合）は、制御部６は、ステップＳ２０の処理に移行する一方、「YES」、つまり安定待受タイマ１０がカウントアップしている場合（待受状態に遷移してから安定待受時間ＳＴが経過した場合）、第１のカウント変数Ｃ１＝０に初期化する（ステップＳ２２）と共に、第１のリセレクションタイムＲＴ１を初期設定値に初期化する（ステップＳ２３）。そして、タイマ制御部６ｂは、今までの処理によって設定された各リセレクションタイムのカウントを行うように、第１のリセレクションタイマ７、第２のリセレクションタイマ８及び第３のリセレクションタイマ９を起動し（ステップＳ２４）、待受状態を継続する（ステップＳ２５）。その後、タイマ制御部６ｂは、図２（ａ）のステップＳ１の処理に移行する（ステップＳ２６）。
【００３９】
一方、ステップＳ２０において、「YES」、つまりチャネルロストが発生した場合、制御部６は、ページングチャネルのスキャン回数をカウントするための第１のスキャンカウント変数Ｃｒ１を０に設定する（ステップＳ２７）。そして、制御部６は、上記第１のスキャンカウント変数Ｃｒ１が、第１のスキャン回数閾値Ｃｒｔ１より小さいか否かを判断する（ステップＳ２８）。
【００４０】
このステップＳ２８において、「YES」、つまり第１のスキャンカウント変数Ｃｒ１が、第１のスキャン回数閾値Ｃｒｔ１より小さい場合、制御部６は、第１のスキャンカウント変数Ｃｒ１をインクリメントし（ステップＳ２９）、捕捉制御部６ｃにページングチャネルの再スキャンを要求する（ステップＳ３０）。捕捉制御部６ｃは、ページングチャネルの再スキャンを行なうように無線通信部１を制御する。
【００４１】
通信状態検出部６ａは、無線通信部１の通信状態に基づいて、ページングチャネルを再捕捉したか否かを検出する。制御部６は、通信状態検出部６ａによる検出結果に基づいて、ページングチャネルを再捕捉したか否かを判断し（ステップＳ３１）、「NO」、つまりページングチャネルを再捕捉できなかった場合、ステップＳ２８の処理に移行する。
すなわち、ステップＳ２８〜Ｓ３１の処理により、チャネルロストした場合は、第１のスキャン回数閾値Ｃｒｔ１で規定された回数だけ、同一の通信システムネットワークに対してページングチャネルの再スキャンを行う。なお、このような第１のスキャン回数閾値Ｃｒｔ１は、初期設定値として５回程度に設定されている。
【００４２】
そして、タイマ制御部６ｂは、ステップＳ３１において、「YES」、つまりページングチャネルを再捕捉できた場合、ステップＳ２１の処理に移行する。
【００４３】
一方、ステップＳ２８において、「NO」、つまり第１のスキャンカウント変数Ｃｒ１が、第１のスキャン回数閾値Ｃｒｔ１以上の値になった場合、タイマ制御部６ｂは、安定待受タイマ１０がカウントアップしたか否かを判断する（ステップＳ３２）。このステップＳ３２において、「NO」、つまり安定待受タイマ１０がカウントアップしていない場合は、制御部６は、図２（ａ）のステップＳ８の処理に移行する一方、「YES」、つまり安定待受タイマ１０がカウントアップしている場合、第２の通信システムネットワークに対する捕捉動作に移行する（ステップＳ３３）。
このように、チャネルロストした時の連続待受時間が安定待受時間ＳＴ未満である場合には、捕捉失敗の場合と同様に通信失敗の度合いとしての第１のカウント変数Ｃ１を増大する。
【００４４】
図３（ａ）は、第２の通信システムネットワークに対する捕捉動作を示すフローチャートであり、図３（ｂ）は、第２の通信システムネットワークに対する捕捉動作における待受処理ルーチンである。これらの図からわかるように、第２の通信システムネットワークに対する捕捉動作は、図２に示す第１の通信システムネットワークに対する捕捉動作と同様であるので、詳細な説明は省略する。なお、図３では、第２の通信システムネットワークに対する捕捉動作における固有の変数及び定数として、第２のカウント変数Ｃ２、第２の閾値Ｃｔ２、第２のリセレクションタイムＲＴ２、第２のスキャンカウント変数Ｃｒ２、第２のスキャン回数閾値Ｃｒｔ２が使用され、ステップＳ５３及びステップＳ７３の処理は、「第３の通信システムネットワークに対する捕捉動作への移行」に変更される。
【００４５】
図４（ａ）は、第３の通信システムネットワークに対する捕捉動作を示すフローチャートであり、図４（ｂ）は、第３の通信システムネットワークに対する捕捉動作における待受処理ルーチンである。この第３の通信システムネットワークに対する捕捉動作も、図２及び図３と同様であるので、詳細な説明は省略する。なお、図４では、第３の通信システムネットワークに対する捕捉動作における固有の変数及び定数として、第３のカウント変数Ｃ３、第３の閾値Ｃｔ３、第３のリセレクションタイムＲＴ３、第３のスキャンカウント変数Ｃｒ３、第３のスキャン回数閾値Ｃｒｔ３が使用され、ステップＳ９３及びステップＳ１１３の処理は、「第１の通信システムネットワークに対する捕捉動作への移行」に変更される。なお、ステップＳ３、Ｓ４３、Ｓ８３のいずれにおいても、各通信システムネットワークの捕捉に失敗してステップＳ９３に進んだ場合には、圏外状態となり、圏外状態のまま各リセレクションタイマ７〜９の動作に応じて各通信システムネットワークに対する捕捉動作を行うこととなる。
【００４６】
以下、これら図２〜図４のフローチャートを用いて、より具体的に説明する。ここで、各リセレクションタイムの初期設定値は、ＲＴ１＝ＲＴ２＝ＲＴ３となるように設定されている。なお、ＲＴ１＜ＲＴ２＜ＲＴ３となるように設定しても良い。
【００４７】
まず、電源投入時において、各リセレクションタイマは起動されていないので、図２（ａ）のステップＳ２、Ｓ３の処理が行われる。ここでは、ステップＳ３において、第１の通信システムネットワークの捕捉に失敗したと想定する。この場合、ステップＳ８の処理により、第１のカウント変数Ｃ１はインクリメントされ、Ｃ１＝１となる。この時、ステップＳ９の処理において、第１のカウント変数Ｃ１は、第１の閾値Ｃｔ１（１０回）より小さいので、ステップＳ１３の処理、つまり図３（ａ）の第２の通信システムネットワークに対する捕捉動作へ移行する。
【００４８】
図３（ａ）において、第２のリセレクションタイマ８は起動されていないので、ステップＳ４２、Ｓ４３の処理が行われる。ここで、ステップＳ４３において、第２の通信システムネットワークの捕捉に成功したと想定すると、ステップＳ４４〜Ｓ４６の処理が行われ、図３（ｂ）の待受処理ルーチンに移行する。
【００４９】
ここで、通信接続開始後、チャネルロストが発生せずに、安定待受タイマ１０がカウントアップした場合、つまりステップＳ６１において「YES」の場合、ステップＳ６２の処理により、第２のカウント変数Ｃ２＝０に初期化され、ステップＳ６３の処理により、第３のリセレクションタイムＲＴ３は初期設定値に初期化される。なお、この時点では、第２のカウント変数Ｃ２及び第３のリセレクションタイムＲＴ３は元々変更されていないので、それぞれの値は変わらない。
【００５０】
そして、ステップＳ６４の処理により、全リセレクションタイマが起動された後、第２の通信システムネットワークに対して待受状態となる。このように、待受状態中も、ステップＳ６６の処理により、図２（ａ）のステップＳ１の処理を行う。この時点では、第１のリセレクションタイマ７が起動されているので、ステップＳ７の処理が行われる。この時点では、当然第１のリセレクションタイマ７はカウントアップしていないので、図３（ａ）のステップＳ４１に移行する。ここで、第２のリセレクションタイマ８は起動中なので、ステップＳ４７の処理が行われる。この時点では、当然第２のリセレクションタイマ７はカウントアップしていないので、図４（ａ）のステップＳ８１に移行する。ここで、第３のリセレクションタイマ９は起動中なので、ステップＳ８７の処理が行われる。この時点では、当然第３のリセレクションタイマ９はカウントアップしていないので、図２（ａ）のステップＳ１に移行する。
【００５１】
つまり、各リセレクションタイマの内、いずれかがカウントアップするまで、各リセレクションタイマの監視が行われる。この時点では、各リセレクションタイムは初期設定値のままであるので、まず最初に第１のリセレクションタイマ７がカウントアップする。すなわち、図２（ａ）のステップＳ２、Ｓ３の処理が行われることになり、第１の通信システムネットワークの再捕捉動作が行われる。ここで、今回の再捕捉動作によっても、第１の通信システムネットワークの捕捉に失敗した場合、ステップＳ８の処理により、第１のカウント変数Ｃ１はインクリメントされ、Ｃ１＝２となる。この場合も、ステップＳ９の処理において、第１のカウント変数Ｃ１は、第１の閾値Ｃｔ１（１０回）より小さいので、ステップＳ１３の処理、つまり図３（ａ）の第２の通信システムネットワークに対する捕捉動作へ移行する。
【００５２】
以降、上記と同様に、第２の通信システムネットワークに対して待受状態になることができ、第１の通信システムネットワークの捕捉に１０回失敗したと想定する（第１のカウント変数Ｃ１＝１０）。つまり、第１のカウント変数Ｃ１は、第１の閾値Ｃｔ１と同一の値になるので、図２（ａ）のステップＳ１０〜Ｓ１２の処理により、第１のリセレクションタイムＲＴ１は増大し、第１の閾値Ｃｔ１及び第１のスキャン回数閾値Ｃｒｔ１は減少する。
【００５３】
そして、第２の通信システムネットワークに対して待受状態になり、全リセレクションタイマが起動された場合、第１のリセレクションタイマ７のみ変更（増大）された第１のリセレクションタイムＲＴ１にてカウントアップすることになる。すなわち、捕捉失敗回数（第１のカウント変数Ｃ１）が第１の閾値Ｃｔ１で規定される回数に達した場合に、本無線通信装置が、第１の通信システムネットワークが存在しない、もしくは存在するが電波強度の弱い極めて不安定な場所で無線通信を行なっていると判断し、次回の第１の通信システムネットワークに対する捕捉動作開始までの時間（第１のリセレクションタイムＲＴ１）を増大することにより、第１の通信システムネットワークに対する無駄な捕捉動作を抑え、消費電力の抑制及び通信性の向上を図ることができる。
【００５４】
さらに、捕捉失敗回数が増える程（つまり第１の通信システムネットワークが存在しない、もしくは存在するが電波強度の弱い極めて不安定な場所で無線通信を行なっている可能性が強い）、第１のリセレクションタイムＲＴ１は増大するので、より効果的に消費電力の抑制及び通信性の向上を図ることができる。
【００５５】
また、捕捉失敗回数に応じて、第１の閾値Ｃｔ１を減少することにより、ステップＳ９の処理において、早い時点で第１のリセレクションタイムＲＴ１を増大させることができ、通信環境に応じて、さらに効果的に消費電力の抑制及び通信性の向上を図ることができる。
【００５６】
では、上記のように、第１のリセレクションタイマ７が、増大した第１のリセレクションタイムＲＴ１にてカウントアップし、図２（ａ）のステップＳ２以降の処理がおこなわれ、第１の通信システムネットワークの捕捉に成功した場合を想定する。
【００５７】
この場合、ステップＳ４〜Ｓ６の処理が行われ、図２（ｂ）の待受処理ルーチンに移行する。ここで、通信接続開始後、チャネルロストが発生せずに、安定待受タイマ１０がカウントアップした場合、つまりステップＳ２１において「YES」の場合、ステップＳ２２の処理により、増大していた第１のカウント変数Ｃ１は０に初期化され、ステップＳ２３の処理により、増大していた第１のリセレクションタイムＲＴ１は初期設定値に初期化される。また、減少していた第１のスキャン回数閾値Ｃｒｔ１も初期設定値に初期化される。
【００５８】
つまり、捕捉に成功し、且つ安定待受時間ＳＴが所定待受時間を経過しても尚、チャネルロストが発生しなかった場合には、第１の通信システムネットワークが存在し、且つ電波強度の安定な場所に移動したと判断できるため、大きな第１のリセレクションタイムＲＴ１で再捕捉動作を行うと、逆に通信効率が悪化する。従って、安定して待受状態に移行した場合は、第１のカウント変数Ｃ１及び第１のリセレクションタイムＲＴ１を初期化する。
【００５９】
また、図２（ｂ）のステップＳ２０の処理において、チャネルロストが発生したと判断された場合、ステップＳ２８〜Ｓ３１の処理によって、第１のスキャン回数閾値Ｃｒｔ１で規定された回数だけ、ページングチャネルの再スキャンを行なうが、上述したように、第１の通信システムネットワークが存在しない、もしくは存在するが電波強度の弱い極めて不安定な場所で無線通信を行なっている可能性が強い場合、多くの回数再スキャンを行なうことは、消費電力を増大させ、通信性を悪化させる原因となる。従って、ステップＳ１２の処理により、捕捉失敗回数に応じて、第１のスキャン回数閾値Ｃｒｔ１を減少させることにより、ページングチャネルの再スキャン回数を少なくすることができ、消費電力の抑制及び通信性の向上に寄与することができる。
【００６０】
さらに、ステップＳ３２の処理により、第１のスキャン回数閾値Ｃｒｔ１を超えても尚、ページングチャネルの再捕捉に成功せず、且つ安定待受時間ＳＴが所定待受時間以内であった場合は、図２（ａ）のステップＳ８の処理に移行して、捕捉失敗回数を増加させることにより、早い時点で第１のリセレクションタイムＲＴ１を増大させることができ、通信環境に応じて、効果的に消費電力の抑制及び通信性の向上を図ることができる。
【００６１】
以上の説明は一例であり、この他、第１の通信システムネットワーク及び第２の通信システムネットワークは捕捉できず、第３の通信システムネットワークが捕捉可能である場合等、様々な状況におうじて同様の効果を得ることができる。また、上記の説明からわかるように、第１の通信システムネットワークが存在しない地域では、第１のリセレクションタイムＲＴ１が第２のリセレクションタイムＲＴ２の大きさを上回り、第１の通信システムネットワークからではなく、第２の通信システムネットワークから捕捉動作を開始する場合もあり得る。つまり、従来では、捕捉順序は優先度に応じて固定であったが、本実施形態によれば、通信環境に応じて捕捉順序を変えることができ、無駄な捕捉動作を低減し、効果的に消費電力の抑制及び通信性の向上を図ることができる。
【００６２】
なお、本発明は、上記実施形態に限定されるものではなく、例えば、上記実施形態で説明した捕捉動作を、ユーザインターフェース（キー入力部２）の操作により、ユーザの選択により行わせる機能を備えても良い。また、同様にキー入力部２の操作により、電池残量が所定の閾値以下となった場合に、上記捕捉動作を省電力モードとして行うように、ユーザが選択できる機能を備えても良い。さらに、充電中か否かを判断し、充電中の場合は、消費電力を考慮する必要はないので、通常の捕捉動作（従来と同様の捕捉動作）を行なうような機能を備えても良い。このような機能を備えることにより、ユーザの使用状況や行動パターンに応じて最適な捕捉動作を選択することができる。
【００６３】
また、上述した実施形態では、優先度が高い第１の通信システムネットワークにおいて待受状態となった場合（ステップＳ２５）においても、各通信システムネットワークに対する捕捉動作の処理を実施する構成となっているが、優先度の高い第１の通信システムネットワークに対する捕捉処理が成功して同通信システムネットワークでの待受状態にある場合には、その他の通信システムネットワークに対する捕捉動作を行わずに、チャネルロストするまで第１の通信システムネットワークでの待受状態を維持するように構成しても良い。
【００６４】
また、上述した実施形態では、優先度が低い第３の通信システムネットワークに対するリセレクションタイムＲＴ３が第３の通信システムネットワークに対して通信失敗した場合（捕捉失敗した場合や連続待受時間が安定待受時間ＳＴ未満である場合）に変更される構成としたが、優先度が低い通信システムネットワークに対するリセレクションタイムは変更しない構成としても良い。この場合、ステップＳ８３にて否と判定されるとステップＳ９３に進み、ステップＳ１０８にて否と判定されるとステップＳ１１３に進み、圏外状態と判定される。なお、この圏外状態となった場合には、全てのリセレクションタイマが停止されて、圏外状態に移行する。そして、圏外処理に別途設けられたタイマによって所定時間を計測し、当該所定時間が経過すると、図２（ａ）に示す第１の通信システムネットワークに対する捕捉動作のフローの処理を開始する。
【００６５】
また、上述した実施形態では、図３（ｂ）に示す第２の通信システムネットワークに対する待受処理ルーチンおよび図４（ｂ）に示す第３の通信システムネットワークに対する待受処理ルーチンにおいて、ステップＳ６５及びＳ１０５において待受状態となると、ステップＳ６６及びＳ１０６において図２（ａ）のステップＳ１へ進むようなフローとなっていたが、ステップＳ６５及びＳ１０５において待受状態となると、ステップＳ６４及びＳ１０４で起動されたリセレクションタイマの内のいずれかがカウントアップしたことを検出した場合に、ステップＳ６６及びＳ１０６へ進むように構成しても良い。この場合、ステップＳ１への移行頻度が低減されて、処理負荷や消費電力を軽減できる。
【００６６】
また、上述した実施形態では、各通信システムネットワークに対する通信失敗の度合いを、捕捉失敗の回数や安定待受時間ＳＴ未満となった連続待受時間に応じて求める構成としたが、これに限定することなく、その他の通信失敗に関する状態に応じて通信失敗の度合いを求めて、この度合いに応じて各通信システムネットワークに対するリセレクションタイムを設定するようにしても良い。
【図面の簡単な説明】
【００６７】
【図１】本発明の一実施形態における無線通信装置の構成ブロック図である。
【図２】本発明の一実施形態における無線通信装置の動作を示す第１のフローチャートである。
【図３】本発明の一実施形態における無線通信装置の動作を示す第２のフローチャートである。
【図４】本発明の一実施形態における無線通信装置の動作を示す第３のフローチャートである。
【符号の説明】
【００６８】
１…無線通信部、２…キー入力部、３…表示部、４…音声出力部、５…カメラ部、６…制御部、６ａ…通信状態検出部、６ｂ…タイマ制御部、６ｃ…捕捉制御部、７…第１のリセレクションタイマ、８…第２のリセレクションタイマ、９…第３のリセレクションタイマ、１０…安定待受タイマ、１１…記憶部
【図１】
0004795033.tif 000002
【図２】
0004795033.tif 000003
【図３】
0004795033.tif 000004
【図４】
0004795033.tif 000005